(57)【特許請求の範囲】
【請求項１】
芝生通過空間を形成するボディ部と、
前記ボディ部の上部に提供された突出柱と、
前記突出柱の間に配置される滑り防止手段と、
を含んで構成された芝生保護マット。
【請求項２】
芝生通過空間を形成するボディ部と、
前記ボディ部の外郭に連結されてマットの形態を維持させる外郭枠部と、
前記外郭枠部の上部に提供された突出柱と、
前記突出柱の間に配置される滑り防止手段と、
を含んで構成された芝生保護マット。
【請求項３】
前記滑り防止手段は、突出柱の間に突出柱と、ボディ部または外郭枠部と一体で形成されたことを特徴とする請求項１または請求項２に記載の芝生保護マット。
【請求項４】
前記滑り防止手段は、突出柱の間に突出柱と、ボディ部または外郭枠部と一体になった一体型プレート形態で形成されたことを特徴とする請求項３項に記載の芝生保護マット。
【請求項５】
前記滑り防止手段は、ボディ部または外郭枠部に沿って突出柱の間に一体で連結される棒形態、バー状、内側空間部を備える断面状半湾曲、または折曲がったバー状及びプレート形態のうちいずれかで形成されたことを特徴とする請求項１または請求項２に記載の芝生保護マット。
【請求項６】
前記ボディ部の上部及び下部に夫々形成された緩衝翼とラグを含み、
前記ボディ部は、多角形、菱形及び円形のうちいずれかの形態の芝生通過空間を形成するように構成されたことを特徴とする請求項１または請求項２に記載の芝生保護マット。
【請求項７】
前記ボディ部の外郭に連結されてマットの形態を維持させる外郭枠部をさらに含むことを特徴とする請求項１に記載の芝生保護マット。
【発明の詳細な説明】
【技術分野】
【０００１】
本発明は、ゴルフ場、芝球場、公園の芝生等に芝生保護のために使用、また芝生生育用としても使用されることができる芝生保護マットに関するものである。
【０００２】
より詳細には、マット施工後、マットの地面陥没を防ぎ、荷重印加時に陥没防止手段の弾力的な曲がり変形を可能にし陥没防止効果を強化する一方、陥没防止手段に備えられたマットのずれ防止手段を通してマットのずれを抑える。さらにマットを通る際、マット上で滑ることを効果的に防ぐようにした芝生保護マットに関するものである。
【背景技術】
【０００３】
ゴルフ場、芝球場及び公園の芝生等のような芝生生育地域において、人や車両、例えば、ゴルフ場の移動カート等が主に通る動線地域にある芝生は持続的に踏まれて簡単に損傷するため、芝生の改修および補修による費用が発生する。
【０００４】
従って、このような芝生生育地域のうち、特に人や車両等が多く通る動線地域には芝生の損傷を防ぐために、人や車両が通ってもその荷重を支持するか、または緩衝させて芝生の損傷を防ぐ芝生保護マットを設置（施工）する。
【０００５】
しかし、このような知られている芝生保護マットは、別途の図面で図示はしていないが、マットの枠を成しながら生育する芝生が通過（生育）する空間を形成するボディ部と、地面に支えられるラグと、荷重を支える突出柱を含む。
【０００６】
また、突出柱の他にも荷重を分散して緩衝させる緩衝翼とマットの外郭枠を形成して維持させる外郭枠部を含む。
【０００７】
そして、上記外郭枠部には、マットの連結施工を可能にするフックと隣接したマットのフックが締結される締結開口が備えられることができる。
【０００８】
従って、芝生保護マットは、ラグと突出柱はマットを通る人や車両によって加わる荷重を支え、上記緩衝翼は加わる荷重を分散させて全体的に生育する芝生が損傷することを防ぐ。
【０００９】
一方、知られている芝生保護マットは、施工後に地面から陥没するという問題があった。
【００１０】
例えば、芝生保護マットが地面に施工された後、芝生を保護するために砂で覆ったり、梅雨に地面が湿気によって柔らかくなる場合、マットが地面から簡単に陥没する。
【００１１】
また、マット上を持続的に人や車両（カート）等が通るとマットが続けて踏圧されて（踏まれて）地面から陥没する。
【００１２】
しかし、このような芝生保護マットの地面陥没は芝生を正常に、そして持続的に保護することを困難にする。
【００１３】
例えば、施工されたマットが地面に陥没すればするほど生育する芝生はマット上に高く生育するので、マットを通る人や車両によって加わる荷重がそのまま芝生に伝達され、芝生保護が困難になる。
【００１４】
また、知られている芝生保護マットは、マット施工時または施工後、地面でマットがずれる現象が発生してマット施工を困難にするか、または施工後、マットの整列状態を不安定にするという問題もあった。
【００１５】
さらに、知られている芝生保護マットは、施工後、マットを通る人がマット上で滑るという問題があった。特に、傾斜している地域に施工されたマットを通る場合、滑りやすい。
【００１６】
例えば、ゴルフ場でティーグラウンド（ｔｅｅｉｎｇ ｇｒｏｕｎｄ）はカートの道路より高いため、道路とティーグラウンドの間の傾斜している地面にマットが施工された場合、傾斜しているマットを人が通るとさらに滑りやすいという問題が発生した。
【００１７】
特に、露が降りたり、雪の降る冬にはマットにおける滑りが問題となっている。
【発明の概要】
【発明が解決しようとする課題】
【００１８】
本発明は上記のような従来の問題を解消するために提案されたもので、その目的の側面は、マットの地面陥没を防ぎ、また、陥没防止手段の弾力的な曲がり変形を可能にして陥没防止効果を強化する一方、マット施工時または施工後、マットのずれを抑えるようにした芝生保護マットを提供することにある。
【００１９】
さらに、本発明の他の目的の側面は、マット、特に、傾斜している地面に施工されたマットを人が通る場合、マットで滑ることを効果的に防ぐようにした芝生保護マットを提供することにある。
【課題を解決するための手段】
【００２０】
このような本発明の目的を達成するための技術的な一側面の一実施例として本発明は、芝生通過空間を形成するボディ部と、上記ボディ部の下部に形成されたラグと、上記芝生通過空間を横切って上記ラグの間に連結されてマットの地面陥没を防ぐように構成された陥没防止手段を含んで構成された芝生保護マットを提供する。
【００２１】
また、技術的な一側面の他の実施例として、芝生通過空間を形成するボディ部と、上記ボディ部の下部に形成されたラグと、上記芝生通過空間を横切ってボディ部またはラグの間に連結され、地面接触面積を拡張させる拡張部を含み、マットの地面陥没を防ぐように構成された陥没防止手段を含んで構成された芝生保護マットを提供する。
【００２２】
そして、技術的な他の側面として本発明は、芝生通過空間を形成するボディ部と、上記ボディ部の下側に設けられ、且つ底面の外郭が中心より低く形成される板状の陥没防止手段を含んで構成された芝生保護マットを提供する。
【００２３】
また、技術的なさらに他の側面として本発明は、芝生通過空間を形成するボディ部と、上記ボディ部の下部に形成されたラグと、上記ボディ部またはラグに連係されてマットの地面陥没を防ぐように構成された陥没防止手段と、上記ラグまたは陥没防止手段に備えられるマットのずれ防止手段を含んで構成された芝生保護マットを提供する。
【００２４】
さらに、技術的なさらに他の側面の一実施例として本発明は、芝生通過空間を形成するボディ部と、上記ボディ部の上部に提供された突出柱と、上記突出柱の間に配置される滑り防止手段を含んで構成された芝生保護マットを提供する。
【００２５】
また、技術的なさらに他の側面の他の実施例として本発明は、芝生通過空間を形成するボディ部と、上記ボディ部の外郭に連結されてマットの形態を維持させる外郭枠部と、上記外郭枠部の上部に提供された突出柱と、上記突出柱の間に配置される滑り防止手段を含んで構成された芝生保護マットを提供する。
【００２６】
また、技術的なさらに他の側面のさらに他の実施例として本発明は、芝生通過空間を形成するボディ部と、上記ボディ部の間に連結される滑り防止手段を含んで構成された芝生保護マットを提供する。
【００２７】
さらに、技術的なさらに他の側面のさらに他の実施例として本発明は、芝生通過空間を形成するボディ部と、上記ボディ部の外郭に連結されてマットの形態を維持させる外郭枠部と、上記外郭枠部の上部に備えられる滑り防止手段を含んで構成された芝生保護マットを提供する。
【００２８】
次に、技術的なさらに他の側面のさらに他の実施例として本発明は、芝生通過空間を形成するボディ部と、上記ボディ部と上記ボディ部の外郭に連結されてマットの形態を維持させる外郭枠部のうちいずれか、またはこれら全てに備えられる突出柱と、上記突出柱の上端に備えられる滑り防止手段を含んで構成された芝生保護マットを提供する。
【図面の簡単な説明】
【００２９】
【図１】本発明の第１実施例の芝生保護マットを図示した平面図である。
【図２】図１の側面図である。
【図３】（ａ）及び（ｂ）は、本発明の第１実施例の芝生保護マットに備えられる一実施例の陥没防止手段を図示した斜視図及び平面図である。
【図４】（ａ）乃至（ｃ）は、図３の陥没防止手段に備えられた突出部材を図示した斜視図、平面図及び側面図である。
【図５】図３の陥没防止手段の変形例を図示した平面図である。
【図６】（ａ）及び（ｂ）は、図４の突出部材の補強リブの連結構造を図示した側面図及び平面図である。
【図７】（ａ）及び（ｂ）は、本発明の第１実施例の芝生保護マットに備えられる他の実施例の陥没防止手段を図示した斜視図及び平面図である。
【図８】（ａ）及び（ｂ）は、図７の陥没防止手段の変形例を図示した斜視図及び平面図である。
【図９】（ａ）及び（ｂ）は、図４の突出部材に備えられた様々な形態の滑り防止構造を図示した斜視図である。
【図１０】（ａ）及び（ｂ）は、図４の突出部材に備えられた様々な形態の滑り防止構造を図示した斜視図である。
【図１１】（ａ）及び（ｂ）は、図４の陥没防止手段と突出部材の変形例を図示した正面図である。
【図１２】本発明による第２実施例の芝生保護マットを図示した平面図である。
【図１３】（ａ）及び（ｂ）は、本発明の第２実施例に備えられる陥没防止手段を図示した図１の‘Ａ−Ａ線’及び‘Ｂ−Ｂ線’の断面図である。
【図１４】図１３の陥没防止手段の変形例を図示した斜視図である。
【図１５】（ａ）及び（ｂ）は、図１３、１４の陥没防止手段の作動を図示した作動状態図である。
【図１６】（ａ）乃至（ｃ）は、図１３、１４の陥没防止手段の他の変形例を図示した底面の斜視図である。
【図１７】本発明による第３実施例の芝生保護マットを図示した平面図である。
【図１８】（ａ）及び（ｂ）は、本発明の第３実施例の芝生保護マットに備えられる一実施例の陥没防止手段を図示した斜視図及び平面図である。
【図１９】（ａ）乃至（ｃ）は、本発明の第３実施例の芝生保護マットに備えられる他の実施例の陥没防止手段を図示した斜視図及び平面図である。
【図２０】本発明の第３実施例の芝生保護マットに備えられるさらに他の実施例の陥没防止手段を図示した斜視図である。
【図２１】（ａ）乃至（ｉ）は、本発明の第３実施例の芝生保護マットの陥没防止手段に備えられるマットのずれ防止手段の様々な実施例を図示した一部斜視図である。
【図２２】本発明の第３実施例の芝生保護マットに備えられるさらに他の実施例の陥没防止手段とマットのずれ防止手段を図示した斜視図である。
【図２３】（ａ）乃至（ｃ）は、本発明の第３実施例の芝生保護マットに備えられるさらに他の実施例の陥没防止手段とマットのずれ防止手段を図示した斜視図である。
【図２４】（ａ）及び（ｂ）は、本発明の第３実施例の芝生保護マットに備えられるラグと陥没防止手段に含まれるバー構造に形成される弾性部を図示した斜視図及びその作動状態図である。
【図２５】本発明の第４実施例の芝生保護マットを図示した平面図である。
【図２６】（ａ）及び（ｂ）は、本発明の第４実施例の芝生保護マットに備えられる一実施例の滑り防止手段を図示した斜視図及び平面図である。
【図２７】本発明の第４実施例の芝生保護マットに備えられる他の実施例の滑り防止手段を図示した斜視図である。
【図２８】本発明の第４実施例の芝生保護マットに備えられるさらに他の実施例の滑り防止手段を図示した斜視図である。
【図２９】図２６乃至図２８の滑り防止手段を図示した側面図である。
【図３０】図２９の変形例を図示した側面図である。
【図３１】（ａ）及び（ｂ）は、本発明の第４実施例の芝生保護マットに備えられるさらに他の実施例の滑り防止手段を図示した斜視図及び側面図である。
【図３２】（ａ）及び（ｂ）は、本発明の第４実施例の芝生保護マットに備えられるさらに他の実施例の滑り防止手段とその変形例を図示した斜視図である。
【図３３】本発明の様々な実施例の滑り防止手段を含む様々な形態の芝生保護マットを図示した平面図である。
【図３４】本発明の様々な実施例の滑り防止手段を含む様々な形態の芝生保護マットを図示した平面図である。
【図３５】本発明の様々な実施例の滑り防止手段を含む様々な形態の芝生保護マットを図示した平面図である。
【図３６】本発明の様々な実施例の滑り防止手段を含む様々な形態の芝生保護マットを図示した平面図である。
【図３７】本発明の第４実施例の芝生保護マットに備えられるさらに他の実施例の滑り防止手段を図示した平面図である。
【図３８】本発明の第４実施例の芝生保護マットに備えられるさらに他の実施例の滑り防止手段を図示した平面図である。
【図３９】本発明の第４実施例の芝生保護マットに備えられるさらに他の実施例の滑り防止手段を図示した平面図である。
【図４０】本発明の第４実施例の芝生保護マットに備えられるさらに他の実施例の滑り防止手段を図示した平面図である。
【図４１】本発明の第４実施例の芝生保護マットに備えられるさらに他の実施例の滑り防止手段を図示した平面図である。
【図４２】本発明の第４実施例の芝生保護マットに備えられるさらに他の実施例の滑り防止手段を図示した平面図である。
【図４３】本発明の第４実施例の芝生保護マットに備えられるさらに他の実施例の滑り防止手段を図示した斜視図である。
【図４４】本発明の第４実施例の芝生保護マットに備えられるさらに他の実施例の滑り防止手段を図示した平面図である。
【図４５】本発明の第４実施例の芝生保護マットに備えられるさらに他の実施例の滑り防止手段を図示した平面図である。
【図４６】本発明の第４実施例の芝生保護マットに備えられるさらに他の実施例の滑り防止手段を図示した平面図である。
【発明を実施するための形態】
【００３０】
以下では、添付の図面に従って本発明の好ましい実施例を詳細に説明する。
【００３１】
但し、図１乃至図１１は本発明による第１実施例の芝生保護マットに関る図面で、図１２乃至図１６は本発明による第２実施例の芝生保護マットに関る図面で、図１７乃至図２４は本発明による第３実施例の芝生保護マットに関る図面で、図２５乃至図４６は本発明による第４実施例の芝生保護マットに関る図面である。
【００３２】
先ず、図１乃至図１１には、本発明の第１実施例の芝生保護マット１を図示している。
【００３３】
このような本発明の芝生保護マット１の基本構造について説明すると以下の通りである。
【００３４】
例えば、図１及び図２に図示したように、本発明の芝生保護マット１においてボディ部１０は、芝生生育や活着性を向上させる多角、好ましくは六角形、菱形、円形等の芝生通過空間１２（芝生生育空間）を形成するようにボディ部１０が一体に連なって形成されて全体的なマットの枠をなす。
【００３５】
そして、芝生保護マット１のボディ部の底部に形成されたラグ２０は、マットの地面の支持を可能にし、マットのボディ部と地面との離隔を維持させ、ボディ部の上部に備えられた突出柱３０はマットに加わる荷重を支持する。
【００３６】
そして、このような突出柱の間で、且つボディ部の上部に形成された緩衝翼４０は荷重を分散させ、芝生の形態と類似して長く伸びているため（突出柱よりさらに高く伸びる）、マットの外観を美麗にもする。
【００３７】
また、本発明の芝生保護マット１の上記ボディ部１０の外郭に備えられる外郭枠部５０はマットの外郭の形態を維持させる。
【００３８】
そして、芝生保護マット１の外郭枠部５０には、マットの連結施工を可能にするフック手段６０と、隣接したマットのフック手段６０が締結される締結開口７０を備えることができる。この際、図３９のように折曲がった形態のフック６６０’を備えることもできるが、この場合は締結開口は含まない。
【００３９】
一方、次に説明する第２乃至第４実施例の芝生保護マット２００、３００、６００の場合も上述したマットの基本構成要素を含むため、その詳細な説明は本実施例における説明に代える。但し、芝生保護マットの符号２００、３００、６００に合わせて各構成要素の図面符号を対応して記載する。
【００４０】
次に、図１及び図２に図示したように、本発明の第１実施例の芝生保護マット１は、上記ボディ部１０によって形成される芝生通過空間１２を（上からみて）横切って両端が向かい合うラグ２０の間に連結されてマットの地面陥没を防ぐ一実施例の陥没防止手段８０を含む。
【００４１】
即ち、図３ａ及び図３ｂに図示したように、本発明の第１実施例の芝生保護マット１に備えられる一実施例の陥没防止手段８０は、芝生通過空間１２を横切って向かい合う複数のラグ２０の間に連結される所定幅のバー状で形成されることができる。
【００４２】
このようなバー状の陥没防止手段８０は、好ましくは、その一端は芝生通過空間１２を横切って向かい合うラグ２０の下端に一体で連結され、他端は芝生通過空間１２の中央で一体になって地面接触面積を拡大する中央部８２を形成する。
【００４３】
しかし、本発明の芝生保護マットにおいてボディ部によって形成される芝生通過空間が六角形の場合、上記六角の頂点に設置された６個のラグ２０の間に総６個のバーが連結される。
【００４４】
従って、上記バー状の陥没防止手段８０は、バーの底面と中央部８２が地面に接触支持されてマットの地面陥没を防ぐ。無論、前に説明したように、バーが一体になった中央部８２は地面接触面積を拡大するため、マットの陥没をさらに防ぐ。
【００４５】
一方、図１に図示したように、このような本発明の陥没防止手段８０はマットの全体の大きさを考慮し適当に配列して設置されることができる。
【００４６】
このとき、図３ａに図示したように、上記陥没防止手段８０の上部面８０ａは丸く形成することが好ましいが、これは芝生がバーの角に押されて切れないようにするためである。
【００４７】
また、図３ａに図示したように、本発明の陥没防止手段８０は芝生通過空間を横切って向かい合うラグの下端の間に一体で連結され、内側空間部８０ｂが形成される断面状半円形の湾曲したバーまたは断面状三角形の折曲がったバー状（例えば、断面状半円形のパイプ形態）で提供されることができる。
【００４８】
このとき、上記陥没防止手段の内側空間部８０ｂは、当然地面に向かうのが好ましい。
【００４９】
従って、このような断面状半湾曲、または折曲がったバー状の陥没防止手段８０は、押されるとき、上記内側空間部８０ｂが弾力的に広がることができ、マットの地面陥没をさらに効果的に防ぐ。
【００５０】
また、内側空間部を形成するバー状の陥没防止手段は、平板な面を有するバーよりマットのずれを防ぐ機能を提供する。
【００５１】
次に、図４ａ乃至図４ｃに図示したように、ラグ２０に一端が連結され、他端が芝生通過空間１２で一体になって中央部８２を形成する本発明の陥没防止手段の上記中央部８２には、上に垂直に一体で突出された突出部材１００をさらに備えることができる。
【００５２】
このような突出部材１００は、図４ｃに図示したように、ボディ部の上部の突出柱３０の高さと同じであるか、より高く形成することが好ましい。これは突出柱より低いと支持力を提供することができないためである。
【００５３】
従って、上記突出部材１００は、マットに加わる荷重を突出柱のように支持する。
【００５４】
次に、図５に図示したように、本発明の陥没防止手段の中央部８２の外郭には地面との接触面積を広げた拡張部８４をさらに形成することも好ましい。この場合、地面接触面積を増大させてマットの地面陥没をさらに防ぐ。
【００５５】
そして、上記中央部８２に形成された拡張部８４は、バー状の陥没防止手段が一体になった中央部８２の構造を堅固にし、上述の突出部材１００の構造も堅固にする。
【００５６】
次に、図６ａ及び図６ｂに図示したように、本発明の陥没防止手段８０に備えられる突出部材１００はボディ部１０、または突出柱３０間に補強リブ１０２でさらに連結されることができる。
【００５７】
このような補強リブ１０２は、突出部材１００が押されるとき、曲がることを防ぎ、突出部材の設置構造を堅固にする。
【００５８】
即ち、図６ａのように、上記補強リブ１０２は、マット上に人や車両（ゴルフ場のカート）が通る場合、突出部材１００が簡単に壊れたり、一方に偏って押されることを防ぐ。
【００５９】
特に、このような補強リブ１０２は、マットが酷く陥没する場合、ボディ部の線上、または突出柱の線上でマットの陥没を防ぐ更なる陥没防止機能を提供することができる。
【００６０】
次に、図７及び図８には、本発明の第１実施例の芝生保護マット１に備えられる他の実施例の陥没防止手段９０を図示している。
【００６１】
即ち、このような他の実施例の陥没防止手段９０は、マットのボディ部１０またはラグ２０に連結される連結部９２と、上記連結部９２に連結されて、且つ芝生通過空間に配置され、特に、地面接触面積を拡大させる拡張部を含んで構成される。
【００６２】
このとき、上記拡張部は、連結部９２と連結されたリング９４（図７）またはプレート９６（図８）で提供され、マットの地面陥没を防ぐように構成される。
【００６３】
従って、ラグまたはボディ部に連結された連結部９２と、リング９４またはプレート９６（図８）は、上述の一実施例のバー状の陥没防止手段８０より地面接触面積を増大させてマットの地面陥没をさらに防ぐ。
【００６４】
一方、図７ａに図示したように、本発明の陥没防止手段９０の連結部９２とリング９４はバー状、または上述のような内側空間部９２ｂ、９４ｂを形成する断面状湾曲、または折曲がったバー状（断面状半円形のパイプ形態）で提供されることができる。
【００６５】
このような内側空間部９２ｂ、９４ｂを有する陥没防止手段の連結部とリングは、上述のように、マットが押されるとき、内側空間部を有するバーの部分が広がりマットの陥没をさらに防ぐと共に、マットがずれることも防ぐ。
【００６６】
また、図７ａに図示したように、本発明の第２実施例の芝生保護マットに備えられる他の実施例の陥没防止手段９０において、バー状の連結部９２とリング９４の上部面９４ａも芝生の損傷を防ぐように丸く形成することが好ましい。
【００６７】
このとき、図８に図示したように、上記陥没防止手段９０のリング９４やプレート９６は、円形または多角形、例えば、芝生通過空間が六角形であれば、六角形で形成されることができる。
【００６８】
一方、今まで説明した陥没防止手段８０、９０において、マットが陥没しやすい地域（地面が柔らかいか、雨量の多い地域、または、芝生生育の初期段階として砂が多く投入される地域等）では、拡張部であるリングやプレートを含む陥没防止手段９０を選択することが好ましい。
【００６９】
逆に、芝生通過空間（生育空間）の確保が必要な地域（芝生生育がさらに重要な地域等）では、芝生通過空間を横切って形成された拡張部（リングまたはプレート）のないバー状の陥没防止手段８０を選択することが好ましい。
【００７０】
このとき、図７ａに図示したように、本発明の陥没防止手段９０の場合には、連結部９２がラグの代わりにボディ部１０において折り曲がった形態で下方に伸びリング９４やプレート９６に連結されることも可能である。
【００７１】
また、本発明の他の実施例の陥没防止手段９０の拡張部プレート９６には図８ｂに図示したように、上述した突出部材１００が一体で突出して備えられることができる。
【００７２】
一方、図９ａ、ｂ及び図１０ａ、ｂに図示したように、本発明の陥没防止手段８０、９０に備えられる上記突出部材１００は、滑り防止手段をさらに含むことができる。
【００７３】
即ち、上記突出部材１００の上端には、図９ａ、ｂのように十字溝部１２０ａまたは十字凸部１２０ｂ、または図１０ａ、ｂのように凹凸部１２０ｃまたは多角凸部１２０ｄからなる様々な形態の滑り防止手段が提供されることができる。
【００７４】
無論、このような本発明の上記突出部材１００の上端には、凹凸部、溝部、十字溝部、十字凸部、多角溝部、多角凸部、星形溝部、星形凸部及び突起（尖った突起）等の多様な形態のマットのずれ防止手段が提供されることができる。
【００７５】
従って、上記突出部材１００は、マットの荷重支持力を高めながら、様々な形態の滑り防止手段によって人がマットを通る際、マット上で滑ることを防ぐ。
【００７６】
このとき、図９及び図１０のように、上記突出部材１００の滑り防止手段の各形状部は、滑り防止性を高めるように、マットを人が通る動線方向に直角、または傾斜している方向に形成することが好ましい。
【００７７】
次に、図１１に図示したように、ラグ２０の下端の間に連結されるバー状の陥没防止手段の中央部分を上に突出される形態に凸状にすると、突出部材１００が押されるとき、陥没防止手段８０が地面に密着し、荷重が加わらないと元の位置に戻るため、マットの陥没をさらに防ぐ。
【００７８】
一方、図１に図示したように、本発明の第１実施例の芝生保護マット１に備えられる陥没防止手段は、マットの全体に一定間隔で配列し設置されればよい。
【００７９】
次に、図１２乃至図１６では、本発明による第２実施例の芝生保護マット２００を図示している。
【００８０】
一方、本発明の第２実施例の芝生保護マット２００も、第１実施例の芝生保護マット１と同様にマットの基本構成要素、即ち、芝生通過空間２１２を形成するボディ部２１０、ボディ部の下部のラグ２２０、ボディ部の上部の突出柱２３０と緩衝翼２４０、ボディ部の外郭の外郭枠部２５０、上記外郭枠部２５０に備えられるフック手段２６０及び、締結開口２７０を含むことができる。
【００８１】
次に、図１２乃至図１４に図示したように、本発明の第２実施例の芝生保護マット２００は、芝生通過空間２１２を形成するボディ部２１０及び、上記ボディ部２１０の下側に設けられ、底面の外郭が中心より低く形成される板状の陥没防止手段２８０を含んだことにその特徴がある。
【００８２】
このとき、図１３ａ及び図１３ｂに図示したように、上記ボディ部２１０の下部に形成されたラグ２２０の間の上記陥没防止手段２８０は、ボディ部２１０から下方に伸びた伸長部２８２の下部に凹んだ板状で提供される。
【００８３】
または、図１４に図示したように、上記陥没防止手段２８０の伸長部２８２は上記ラグ２２０の間に一体で連結されて提供されることができる。
【００８４】
このとき、本発明の第２実施例の芝生保護マット２００に備えられる上記陥没防止手段２８０は、板状で、その底面の両端部が下向きに湾曲し、中央が凹んで形成されることもできる。
【００８５】
また、本発明の上記陥没防止手段２８０は、板の中央が中に凹み、外郭部分が全体的に下向きに下がる円錐形であることができる。
【００８６】
一方、本発明の陥没防止手段２８０の底面が凹んで形成されるため、図１５ａに図示したように、人や車両がマットを通るとき、加わる荷重（実線の矢印）により地面が圧着されるとき、土壌の粒子が陥没防止手段２８０の凹んだ（傾斜している）底面に沿って中央部分に集中（点線の矢印）するため、土壌の粒子はさらに稠密に圧着する。
【００８７】
従って、土壌の粒子が稠密に圧着されると、それだけ土壌が硬くなるため、本発明の陥没防止手段２８０は加わる荷重をより安定的に支持し、マットの陥没を効果的に防ぐ。
【００８８】
次に、図１５ｂに図示したように、加わる荷重が大きく、陥没防止手段２８０が平らに広がると、陥没防止手段２８０の両端は夫々外側に向かって延びる形態となる。
【００８９】
従って、上記陥没防止手段の両端の外側に位置する土壌は、粒子が稠密になるように圧縮され、圧縮された土壌は陥没防止手段２８０が平らに広がることを妨げる反発力を発生させる。
【００９０】
結局、上記陥没防止手段２８０に加わる荷重は、陥没防止手段を地中に陥没させる力と陥没防止手段を平らに広げる力に分散されるため、陥没防止手段２８０はマットの陥没をさらに効果的に防ぐ。
【００９１】
即ち、平らな板に比べて本発明の凹んだ板状の陥没防止手段２８０は、土壌が陥没防止手段２８０を上向に支える力と上記陥没防止手段２８０が平らに広がることを妨げる反発力を合わせた大きさの下向きの荷重を支えることができる。
【００９２】
そして、図１５ｂに図示したように、平らに広げられた陥没防止手段２８０は加わる荷重が除去されると、図１５ａのような底面が凹んだ元の状態に戻ることができる。
【００９３】
即ち、陥没防止手段２８０は凹んだ底面において中央よりさらに下がった底面の両端や、外郭が土壌により支えられる状態になるため、真ん中が凹んだ中央部分が上に上がることができる。
【００９４】
従って、本発明の陥没防止手段２８０と連結されたマットのボディ部２１０は陥没防止手段２８０の中央部分が上がる高さほど上昇され、結局マットが持ち上がり、マットが地中に陥没する幅を単に平坦な形態よりさらに減少させる。
【００９５】
これによって、本発明の第２実施例の芝生保護マット２００に備えられる陥没防止手段２８０は、マットの地面施工後に荷重が加わると中央が凹んだ板状の陥没防止手段２８０が平らになる作用と、荷重が無くなると弾力的に元の状態に戻る作動によってマットの地面陥没をより効果的に防ぐ。
【００９６】
次に、図１６ａ乃至１６ｃに図示したように、本発明の第２実施例の芝生保護マット２００に備えられる凹んだ板状の陥没防止手段２８０の底面には、マットのずれを防ぐようにする長く伸びた溝、放射状に形成された溝、または多角の溝等のようなマットずれ防止用の溝２８４を備えることができる。
【００９７】
このとき、このような溝２８４は、マット施工時に人やカート等の移動物体が通る動線方向を考慮し動線方向を横切るか、または、少なくとも傾くように形成するのがより好ましい。
【００９８】
次に、図１７乃至図２４では、本発明による第３実施例の芝生保護マット３００を図示している。
【００９９】
このとき、本発明の第３実施例の芝生保護マット３００も、上述したマットの基本構成要素、即ち、芝生通過空間３１２を形成するボディ部３１０、ボディ部３１０の下部のラグ３２０、ボディ部３１０の上部の突出柱３３０と緩衝翼３４０、ボディ部の外郭の外郭枠部３５０、上記外郭枠部３５０に備えられるフック手段３６０及び、締結開口３７０を含むことができる。
【０１００】
次に、図１８乃至図２３に図示したように、本発明の第３実施例の芝生保護マット３００は、芝生通過空間３１２を形成するボディ部３１０と、上記ボディ部３１０の下部に形成されたラグ３２０及び、上記ボディ部３１０またはラグ３２０に連係されてマットの地面陥没を防ぐように構成された陥没防止手段及び、上記ラグまたは陥没防止手段に備えられるマットのずれ防止手段を含むことにその特徴がある。
【０１０１】
従って、以下では、本発明の第３実施例の芝生保護マット３００に含まれる様々な形態の陥没防止手段と、これに備えられるマットのずれ防止手段に対して説明する。
【０１０２】
先ず、図１８及び図１９では、本発明の第３実施例の芝生保護マット３００に備えられる陥没防止手段４１０、４２０を図示しているが、このような陥没防止手段は上述の本発明の第１実施例の芝生保護マット１に備えられる陥没防止手段８０、９０と同じ構造である。
【０１０３】
即ち、図１８ａ及び図１８ｂに図示したように、上記陥没防止手段４１０はマットのボディ部３１０によって形成される芝生通過空間３１２を（上から見て）横切って両端が向かい合うラグ３２０に一端が連結され、芝生通過空間３１２の中央で一体になって中央部４１２を形成するバー状であることができる。
【０１０４】
そして、図１８には図示していないが、上記陥没防止手段４１０のバー状は、図３ａを参照すると内側空間部を備える断面状半湾曲、または折曲がったバー状（断面状半円形のパイプ形態）であることができる。この場合、上記内側空間部は地面と接触してマットのずれを防ぐ機能を提供する。
【０１０５】
また、図１９ａ乃至図１９ｃに図示したように、上記陥没防止手段４２０はマットのボディ部３１０、またはラグ３２０に連結されるバー状からなる連結部４２２と、上記連結部４２２に連結されて芝生通過空間３１２に配置され、特に地面接触面積を拡大させるリング４２４、またはプレート４２６の拡張部を含んでマットの地面陥没を防ぐように構成されている。
【０１０６】
このとき、図１９における上記連結部とリングも、別途に図示しないが、図７を参照すると、内側空間部を備える断面状半湾曲、または折曲がったバー状（断面状半円形のパイプ形態）であることができる。この場合、上記内側空間部は地面と接触してマットのずれを防ぐ機能を提供する。
【０１０７】
従って、本発明の芝生保護マット３００に備えられる陥没防止手段４１０、４２０は地面と接触して支持されながらマットの陥没を防ぐ。
【０１０８】
次に、図２０には、本発明の第３実施例の芝生保護マット３００に含まれるさらに他の実施例の陥没防止手段４３０を図示している。
【０１０９】
即ち、ボディ部に沿って隣接したラグ３２０の下端の間に一体で連結されたバー状で提供される。
【０１１０】
この場合にも、上記陥没防止手段４３０のバー状は、ずれ防止機能を提供する内側空間部を備える断面状半湾曲、または折曲がったバー状（断面状半円形のパイプ形態）であることができる。
【０１１１】
従って、上記陥没防止手段４３０は、上述の陥没防止手段４１０とは異なり、ボディ部に沿って隣接したラグの間に連結されたバーがマットの地面陥没を防ぐ。
【０１１２】
一方、今まで説明した本発明の第３実施例の芝生保護マット３００に備えられる上記陥没防止手段４１０、４２０、４３０に備えられる本発明のマットのずれ防止手段は、以下のように提供されることができる。
【０１１３】
即ち、図２１ａ及び図２１ｂに図示したように、本発明の一実施例のマットのずれ防止手段は、陥没防止手段のバーまたはリングの地面接触面（底面）に沿って長く彫られた断面状三角形、または円形の溝５００ａ、５００ｂで形成されることができる。
【０１１４】
または、図２１ｃ及び図２１ｄに図示したように、バーまたはリングの地面接触面に一体で形成された（尖った）突起５１０であることができる。
【０１１５】
または、図２１ｅ乃至図２１ｇに図示したように、バーまたはリングの地面接触面に一体で備えられた凹凸部５２０、凸部５３０（十字型凸部）または多角形の溝５４０であることができる。
【０１１６】
このような様々な形態のマットのずれ防止手段は単独で、または複合して１つの陥没防止手段のバー、またはリング等に提供されることもできる。
【０１１７】
次に、図２１ｈ及び図２１ｉに図示したように、本発明のマットのずれ防止手段は、陥没防止手段の拡張部であるプレート４２６に一体で形成される（尖った）突起５１０またはプレートを横切って少なくとも１つ以上提供される長く彫られた溝５００ａ、または５００ｂで提供されることができる。
【０１１８】
一方、別途に図面に示してはいないが、溝５００ａ、５００ｂは陥没防止手段が連結されるラグ３２０の下端にも形成されることができるが、例えば、ラグ３２０の下端にＶ字の溝や（尖った）突起５１０が形成されることもできる。
【０１１９】
この場合にも、ラグがマットの下部に複数形成されることを考えると、マットのずれを防ぐだろう。
【０１２０】
次に、図２２には、本発明の第３実施例の芝生保護マット３００に備えられるさらに他の実施例の陥没防止手段４４０と、これに備えられるマットのずれ防止手段を図示している。
【０１２１】
即ち、本発明の陥没防止手段４４０は、ラグ３２０の下部に一体に備えられた陥没防止板は、例えば、丸い板で提供されることも、角張った板で提供されることもできる。
【０１２２】
そして、このようなラグの下端の陥没防止板４４０の地面接触面には、Ｖ字の溝５００ａ（図２１ａ参照）や（尖った）突起５１０のような上述のマットのずれ防止手段が単独で、または複合して備えられることができる。
【０１２３】
次に、図２３ａでは、本発明の第３実施例の芝生保護マット３００に備えられるさらに他の実施例の陥没防止手段４５０と、これに備えられるマットのずれ防止手段を図示している。
【０１２４】
即ち、図２３ａに図示したように、ボディ部３１０に沿って隣接したラグ３２０の間で一体となった連結板４５２の下部に備えられた丸い陥没防止板４５４で構成されるさらに他の実施例の陥没防止手段４５０が提供されることができる。
【０１２５】
このような本発明の陥没防止手段４５０は、ラグの間で一体となった連結板４５２の下部に陥没防止板４５４が水平に一体となった形態であるため、上述の他の陥没防止手段に比べて構造が堅固である。
【０１２６】
このとき、陥没防止板４５４と連結板４５２の間に補強リブ４５６を連結すると、陥没防止板が地面接触時に曲がることを防ぐため、マットの陥没をさらに強力に防ぐ。
【０１２７】
一方、図２３ｂ及び２３ｃに図示したように、上記陥没防止手段４５０の陥没防止板４５４の地面接触面には、長く伸びた溝５００ａまたは尖った突起５１０等のマットのずれ防止手段が提供されることができる。
【０１２８】
無論、図２１ｅ乃至図２２ｇのような凹凸部５２０、凸部５３０（十字型凸部）または多角形の溝５４０も備えられることができる。
【０１２９】
しかし、図２２及び２３ａに図示した陥没防止手段４４０、４５０の場合には丸い陥没防止板を含むため、上述のバー状の陥没防止手段に比べて地面接触面積がさらに確保され、マットの陥没をより確実に防ぐ。
【０１３０】
次に、図２４ａ及び図２４ｂには、上述の本発明の様々な陥没防止手段のうち、少なくともバー状の陥没防止手段に備えられてマットの陥没及びマットのずれを同時に防ぐ弾性部５５０を図示している。
【０１３１】
このとき、上記弾性部５５０は、バーに沿って長く伸びて、且つ内側に凹んだ凹部５５２を含む。
【０１３２】
従って、図２４ｂに図示したように、本発明の第３実施例の芝生保護マット３００に含まれる陥没防止手段４１０、４２０、４３０の地面接触面に備えられる上記弾性部５５０は、凹部５５２によってマットに荷重が加わると、地面に接触した状態で広がりながら、地面接触面積を拡大させてマットの地面陥没をさらに防ぐ。
【０１３３】
一方、このような弾性部５５０は、凹部が広がる作用によってマットのずれも防ぐ機能を提供する。特に、弾性部５５０の内側の凹部５５２にずれ防止機能を提供する（尖った）突起５５４が提供されると、より好ましい。
【０１３４】
次に、図２５乃至図４４には、本発明の第４実施例の芝生保護マット６００を図示している。
【０１３５】
このとき、本発明の第４実施例の芝生保護マット６００も、上述のように、マットの基本構成要素、即ち、芝生通過空間６１２を形成するボディ部６１０、ボディ部の下部のラグ６２０、ボディ部の上部の突出柱６３０と緩衝翼６４０、ボディ部の外郭の外郭枠部６５０、上記外郭枠部６５０に備えられるフック手段６６０または６６０’及び、締結開口６７０等を含むことができる。
【０１３６】
次に、本発明の第４実施例の芝生保護マット６００は、以下に詳細に説明する様々な形態の滑り防止手段を含むことにその特徴があるが、このような本発明の滑り防止手段はマットを人が通る場合、マット上で滑ることを防ぐ。
【０１３７】
特に、傾斜している地域に施工されたマットを通る際、滑ることを防ぐ。
【０１３８】
先ず、図２５に図示した本発明の第４実施例の芝生保護マット６００に含まれる滑り防止手段は、ボディ部６１０に備えられる突出柱６３０のうち少なくとも隣接した突出柱６３０の間に一体で連結され形成される形態で提供されることができる。
【０１３９】
例えば、図２６ａ及び図２６ｂに図示したように、本発明の第４実施例の芝生保護マット６００に提供される一実施例の滑り防止手段は、隣接した２個の突出柱６３０の上端部の間に一体で連結された棒形態７１０で提供されることができる。
【０１４０】
このような棒形態７１０の滑り防止手段は、実際のマット製作時に成形作業を容易にする形態であることができ、マットを通る人が滑らないようにする。
【０１４１】
次に、図２７に図示したように、本発明の第４実施例の芝生保護マット６００に備えられる他の実施例の滑り防止手段は、少なくとも隣接した２個の突出柱６３０の間に突出柱の上端部に一体で連結して形成されるバー状７２０で提供されることができる。
【０１４２】
従って、このようなバー状７２０の滑り防止手段は、棒形態よりは構造的に堅固である。
【０１４３】
このとき、図２７に図示したように、バー状７２０の滑り防止手段の上部面には滑り防止効果を高めるために、溝７２２、ナーリング部７２４、尖った突起７２６及び、長さ方向に角張った角７２８のうち、いずれか１つまたはこれらを複合して形成されることができる。
【０１４４】
但し、以下の他の実施例の滑り防止手段のうち、バー状の場合は、その上部面に形成される溝、ナーリング部、尖った突起及び、長さ方向に角張った角は上記図面符号を用いて説明する。
【０１４５】
このとき、図２７に図示したバー状７２０の滑り防止手段は、バーの幅を増大させてボディ部と分離されるが、突出柱の間に一体で連結される拡張されたバー状、即ち、プレート形態７４０（図４３参照）で提供されることもできる。
【０１４６】
例えば、図４３でボディ部６１０上に形成された突出部６１６の代わりに突出柱６３０の間にプレート形態７４０の滑り防止手段を形成することは可能である。
【０１４７】
従って、次に説明する図３３乃至図３７では、突出柱の間に連結されるプレート形態７４０の滑り防止手段を示した。
【０１４８】
次に、図２８に図示したように、本発明の第４実施例の芝生保護マット６００に備えられる本発明のさらに他の実施例の滑り防止手段は、突出柱６３０の上端部の間に一体で連結された内側空間部（図３ａの８０ｂ参照）を備える断面状半湾曲、または折曲がったバー状７３０で提供されることができる。
【０１４９】
即ち、断面状半円形のパイプ形態で形成される滑り防止手段が提供されることができる。
【０１５０】
従って、このような内側空間部を備える断面状半湾曲、または折曲がったバー状７３０の滑り防止手段は、自然に真ん中が凹んだ溝が形成されており、棒形態またはバー状の上述の滑り防止手段に比べて滑り防止をさらに容易にする。
【０１５１】
次に、図２９に図示したように、このような滑り防止手段は隣接した突出柱６３０の上端部の間に一体で連結されるが、好ましくは突出柱の高さＤ２と対応して滑り防止手段の高さＤ１を略同一にすることが好ましい。
【０１５２】
これは、滑り防止手段が突出柱より低く設けられると、人の靴の裏が突出柱にのみ接触し滑り防止の効果が減少するためである。
【０１５３】
そして、本発明の棒形態、バー状または内側空間部を備える断面状半湾曲、または折曲がったバー状７１０、７２０、７３０の滑り防止手段は突出柱の上端の間に連結され、幅がプレートよりは小さいためにボディ部６１０の間には芝生通過空間６１４が形成される。
【０１５４】
次に、図３０に図示したように、本発明の棒形態、バー状及び内側空間部を備える断面状半湾曲、または折曲がったバー状７１０、７２０、７３０の滑り防止手段は、ボディ部の間に補強部Ｆ、例えば、補強リブで連結されることができる。
【０１５５】
このような補強部Ｆは、滑り防止手段が押されて曲がったり短絡されたりしないようにする。
【０１５６】
次に、図３１ａ及び図３１ｂには、本発明の第４実施例の芝生保護マット６００に含まれるさらに他の実施例の滑り防止手段を図示している。
【０１５７】
即ち、隣接した突出柱の間に配置されるが、上記突出柱６３０とボディ部６１０と一体になった一体型プレート形態７５０からなる滑り防止手段が提供されることができる。
【０１５８】
このような突出柱とボディ部の一体型プレート形態７５０の滑り防止手段は、上述の様々な形態７１０、７２０、７３０、７４０の滑り防止手段に比べて構造的に強度が補強された構造である。
【０１５９】
このようなボディ部と突出柱一体型プレート形態７５０の滑り防止手段は、ボディ部の間に隙間（図２９の６１４）が形成されない。
【０１６０】
従って、ゴルフ場で人がマットを通る際、ゴルフ用靴に付いているびょうがボディ部の間の隙間に入ることを防ぐようにする。
【０１６１】
一方、図３１ａに図示したように、このようなプレート形態の滑り防止手段の上部面には、上述のバー状７２０の滑り防止手段と同様に、滑り防止性を高める溝７５２、ナーリング部７５４、尖った突起７５６、または長さ方向に角張った角７５８のうち、いずれか１つ、またはこれらを複合してさらに備えられることができる。
【０１６２】
但し、以下で他の実施例の滑り防止手段においてプレート上部面に形成される溝、ナーリング部、尖った突起または角等は上記と同じ図面符号で示す。
【０１６３】
そして、図３１ｂに図示したように、上記突出柱とボディ部一体型プレート形態７５０の滑り防止手段の場合にも、その高さＤ２は突出柱６３０の高さＤ１と略同一にすることが好ましく、その理由は上述のようである。
【０１６４】
次に、図３２ａに図示したように、本発明の第４実施例の芝生保護マット６００に備えられるさらに他の実施例の滑り防止手段は、隣接した２個の突出柱６３０の間に配置されるが、突出柱とは一体にならず、ボディ部６１０で一体で突出された突出型プレート形態７６０で提供されることができる。
【０１６５】
この場合、滑り防止手段が突出柱と分離され、ボディ部と一体型であるため、マットの成形を容易にし、突出柱６３０と突出型プレート７６０の両端の間には他の芝生通過空間６１４が形成されることができる。
【０１６６】
このとき、図３２ａには、別途に図示していないが、上記突出型プレート形態７６０の滑り防止手段の上面にも、図３１ａのように様々な形態７５２、７５４、７５６、７５８の更なる滑り防止構造を形成させることができる。
【０１６７】
次に、図３２ｂのように、上記突出型プレート形態７６０の滑り防止手段は、その上端が角張った断面状三角形のプレート７７０で提供されることができる。
【０１６８】
この場合、図３２ａのプレートよりは、構造的に弱い可能性はあるが、上端が角張っているため、滑り防止の効果面において有利である。
【０１６９】
また、別途の図面に図示はしていないが、図３１の一体型プレート７５０の場合にも断面状三角形の構造にすることができる。
【０１７０】
次に、今まで説明した本発明の第４実施例の芝生保護マット６００に含まれる様々な形態（７１０乃至７７０）の滑り防止手段はマットの全体に図２５のように単独的で単位別に配列されるか、図３３のように連なって連結される配列で構成することが可能である。
【０１７１】
そして、図２５と図３３のような六角形の芝生通過空間６１２を有するマットの他にも、図３４乃至図３６に図示したように、芝生通過空間６１２を正方形、長方形、菱形、または不図示の円形等の様々な形態で形成した芝生保護マットにも本発明の滑り防止手段を設けるのに困難はない。
【０１７２】
次に、図３７乃至図３９には、本発明の第４実施例の芝生保護マット６００で外郭枠部６５０に備えられる滑り防止手段を図示している。
【０１７３】
即ち、図３７に図示したように、本発明の第４実施例の芝生保護マット６００において、ボディ部の外郭に連結されてマットの形態を維持させる外郭枠部６５０の上部に突出柱６３０を一体で形成し、上記突出柱６３０の間に上述の様々な形態（７１０乃至７７０）の滑り防止手段を設けることが可能である。
【０１７４】
この場合、上述の様々な形態（７１０乃至７７０）の滑り防止手段のうち、突出柱と一体型プレート７５０と突出型プレート７６０及び断面状三角形のプレート７７０においてボディ部が外郭枠部に代わることにのみ差異があり、滑り防止手段の構造は同一である。
【０１７５】
このとき、図３７のようにボディ部と外郭枠部の突出柱の間にも滑り防止手段が連係して具備されることができる。
【０１７６】
次に、図３８及び図３９には、六角形または四角形の芝生通過空間６１２を形成する芝生保護マット６００において外郭枠部６５０上に備えられるさらに他の実施例の滑り防止手段を図示している。
【０１７７】
即ち、上記外郭枠部６５０の上部に間隔を置くか、または連なって一体で突出して形成されるブロック形態７８０の滑り防止手段が提供されることができる。
【０１７８】
このようなブロック形態７８０の滑り防止手段は、外郭枠部に沿って間隔を置いて配置するか、または連ねて一体で配置することが可能である。
【０１７９】
また、図３８及び図３９には、外郭枠部の上側及び下側にのみブロック形の滑り防止手段を図示したが、左側及び右側にも設けることができる。
【０１８０】
一方、図３４、４１において、図面符号６６０’はフック手段の他の形態で、┓形に折れており、マットの外郭枠部が嵌る形態の他のフックを示したものである。
【０１８１】
次に、図４０及び図４１には、本発明の第４実施例の芝生保護マット６００において、上述の棒、バー状の滑り防止手段７１０、７２０、７３０とプレート形態７４０の滑り防止手段を突出柱６３０の間に連結し、且つ芝生通過空間６１２を（上からみて）横切って設けたものを図示している。
【０１８２】
このとき、プレート形態７４０の滑り防止手段は、突出柱の間に芝生通過空間６１２を横切って連結されるプレート（図４３参照）を示した。
【０１８３】
従って、棒形態７１０（図２６参照）、バー状７２０（図２７参照）、内側空間部を備える断面状半湾曲、または折曲がったバー状７３０（図２８参照）及びプレート形態７４０（図４３参照）の滑り防止手段が突出柱の間に芝生通過空間６１２を横切って連結して提供されることができる。
【０１８４】
このような滑り防止手段は、ボディ部や外郭枠部に沿って突出柱の間に配置される上述の滑り防止手段よりは滑り防止の効果がさらに高いことができる。
【０１８５】
また、図４０に図示したように、滑り防止手段が芝生通過空間６１２の中央で一体になって十字形で提供されることもできるため、滑り防止をより効果的にすると共に、滑り防止手段の構造も堅固にすることができる。
【０１８６】
そして、図４０のように芝生通過空間６１２を六角形に、図４１のように芝生通過空間６１２を四角形にしても、様々な形態７１０、７２０、７３０、７４０の滑り防止手段を設けることができる。
【０１８７】
次に、図４２乃至図４４には、本発明の第４実施例の芝生保護マット６００に備えられるさらに他の実施例の滑り防止手段を図示している。
【０１８８】
図４２及び図４３に図示したように、芝生保護マットにおいて、突出柱６３０の代わりにボディ部６１０の間に滑り防止手段を連結して設けることも可能で、このような滑り防止手段は、ボディ部６１０の上部に備えられた突出部６１６の間に連結されることができる。
【０１８９】
即ち、上記突出部６１６は、突出柱とは関係なく、ボディ部６１０上で互いが向かい合う位置にあり、ボディ部６１０で一体で突出して上述の棒形態７１０、バー状７２０、内側空間部を備える断面状半湾曲、または折曲がったバー状７３０及びプレート形態７４０等の滑り防止手段が連結されることができる。
【０１９０】
このとき、上記ボディ部６１０に一体になった突出部６１６と滑り防止手段を設置する高さは上述したように、突出柱６３０の高さと略同一にすることが好ましい。従って、ボディ部の間に滑り防止手段を設けるためには突出柱と同じ高さにするための上記突出部６１６が必要である。
【０１９１】
このとき、図４２には、図示していないが、バー状７２０の滑り防止手段の上部面には図２７に図示したように、滑り防止性を増大するために溝７２２、ナーリング部７２４、尖った突起７２６及び、長さ方向に角張った角は７２８のうち、いずれか１つ、またはこれらが複合して提供されることができる。
【０１９２】
そして、図４３において、プレート形態７４０の滑り防止手段の上部面には図３１のように、滑り防止性を増大するために形成される溝７５２、ナーリング部７５４、尖った突起７５６及び長さ方向に角張った角７５８のうち、いずれか１つ、またはこれらが複合して提供されることができる。
【０１９３】
一方、図４２に図示したように、本発明の第４実施例の芝生保護マット６００でボディ部（６１０）の間に連結される滑り防止手段もボディ部に連なって直線状に連結されるか、または単位別に間隔を置いて適当に配列され設置されることができる。
【０１９４】
そして、図４４に図示したように、本発明のボディ部の間に連結される様々な形態（７１０−７４０）の滑り防止手段は、芝生通過空間６１２が四角に形成された場合にも設置可能である。
【０１９５】
無論、不図示の円形、菱形または多角形の芝生通過空間６１２を形成する場合にも可能である。
【０１９６】
次に、図４５及び図４６には、本発明の第４実施例の芝生保護マット６００に含まれるさらに他の実施例の滑り防止手段を図示している。
【０１９７】
即ち、図４５及び図４６に図示したように、このような滑り防止手段は、ボディ部６１０と上記ボディ部の外郭に連結されてマットの形態を維持させる外郭枠部６５０のうち、いずれか１つまたはこれら全てに備えられる突出柱６３０の上端に備えられることにその特徴がある。
【０１９８】
このような本発明の突出柱６３０の上端に備えられる滑り防止手段は、上記突出柱の上端に一体で形成されるが、突出柱の上端が両側に広がり滑り防止を可能にする突出柱の拡張型７９０で提供されることができる。
【０１９９】
即ち、突出柱６３０の上端部がＹ字形状に広がる形態で提供されるため、上端が球面で形成される既存の突出柱に比べて、人がマットを通る際、滑ることを防ぐ。
【０２００】
一方、図４５には、ボディ部６１０に形成された突出柱６３０に滑り防止手段が備えられたことを図示したが、外郭枠部６５０にも突出柱６３０を設け、その上端に上記突出柱拡張型７９０の滑り防止手段を形成させることも可能である。
【０２０１】
このとき、上記突出柱拡張型７９０の滑り防止手段は、突出柱が広がる方向が動線方向と同じ方向Ｐになるようマットに配置することが滑り防止側面でより好ましい。
【０２０２】
一方、図２５、図３３、図３７、図４０、図４２に図示した本発明の第４実施例の芝生保護マット６００に備えられる上述の様々な形態（７１０−７８０）の滑り防止手段は、施工されたマットの動線方向を横切る方向‘Ｐ'に配列されるのが滑り防止の側面で好ましい。
【０２０３】
即ち、動線方向を横切る方向‘Ｐ’に滑り防止手段を単位別、または連なって配列すると、マットを通る人の歩行を横切る方向（靴の幅方向）で滑り防止手段が接触するため、滑ることをより効果的に防ぐ。
【０２０４】
また、上述のように、今まで説明した本発明の様々な実施例の滑り防止手段は、滑り防止手段が単独で、単位別に間隔を置いてマットに適当に配列されるか、または突出柱、ボディ部、突出部等を媒介に連なって連結される形態で配列されることも可能である。
【０２０５】
但し、芝生保護マットが大きければ、滑り防止手段を詰めて配列することが好ましい。
【０２０６】
または、本発明の滑り防止手段は、ボディ部または外郭枠部に単独で、または同時に配置されることも可能である。
【０２０７】
このとき、図１１、図１５及び図２４で“Ｇ”は地面を表す。
【産業上の利用可能性】
【０２０８】
今まで説明した本発明の芝生保護マットによると、マット施工後のマットの地面陥没を効果的に防ぎ、マットを通して芝生保護が長く持続することを可能にする。
【０２０９】
また、曲がり変形が可能な陥没防止手段を通してマットの地面陥没をより確実に防ぐことを可能にする。
【０２１０】
そして、マットの陥没を防ぐと共に、陥没防止手段に備えられたマットのずれ防止手段を通してマット施工時または施工後のマットのずれを抑えることを可能にする。
【０２１１】
さらに、マットを通る際、マット上で人が滑ることを防ぐため、より安定性のある芝生保護マットを提供する。
【０２１２】
これによって、本発明の芝生保護マットは、マット施工時または施工後のマットの利用時に発生し得る様々な問題を解決することができ、非常に実用的である。
【０２１３】
本発明は、今まで特定の実施例に関して図示し説明したが、添付の特許請求範囲により設けられる本発明の精神や分野を外れない限度内で本発明が多様に改造及び変化されることができるということは当業界において通常の知識を有する者は容易に分かることができることは明確である。
【符号の説明】
【０２１４】
１  芝生保護マット
１０  ボディ部
１２  芝生通過空間
２０  ラグ
３０  突出柱
４０  緩衝翼
５０  外郭枠部
６０  フック手段
７０  締結開口
８０  陥没防止手段
８２  中央部
８４  拡張部
９０  陥没防止手段
９２  連結部
９４  リング
９６  プレート
１００  突出部材
１０２  補強リブ
１２０a  十字溝部
１２０b  十字凸部
１２０c  凹凸部
１２０d  多角凸部
２００  芝生保護マット
２１０  ボディ部
２１２  芝生通過空間
２２０  ラグ
２３０  突出柱
２４０  緩衝翼
２５０  外郭枠部
２６０  フック手段
２７０  締結開口
２８０  陥没防止手段
２８２  伸長部
２８４  マットのずれ防止用溝
３００  芝生保護マット
３１０  ボディ部
３２０  ラグ
３３０  突出柱
３４０  緩衝翼
３５０  外郭枠部
３６０  フック手段
３７０  締結開口
４１０  陥没防止手段
４２０  陥没防止手段
４２４  リング
４２６  プレート
４３０  陥没防止手段
４４０  陥没防止板
４５０  陥没防止手段
４５２  連結板
４５４  陥没防止板
５１０  突起
５２０  凹凸部
５３０  凸部
５４０  多角形の溝
５５０  弾性部
５５２  凹部 
６００  芝生保護マット
６１０  ボディ部
６２０  ラグ
６３０  突出柱
７１０  棒形態滑り防止手段
７２０  バー状滑り防止手段
７３０  バー状滑り防止手段
７４０  プレート形態滑り防止手段
７８０  ブロック形態滑り防止手段
７９０  突出柱拡張型滑り防止手段
【図１】
0005386598.tif 000002
【図２】
0005386598.tif 000003
【図３】
0005386598.tif 000004
【図４】
0005386598.tif 000005
【図５】
0005386598.tif 000006
【図６】
0005386598.tif 000007
【図７】
0005386598.tif 000008
【図８】
0005386598.tif 000009
【図９】
0005386598.tif 000010
【図１０】
0005386598.tif 000011
【図１１】
0005386598.tif 000012
【図１２】
0005386598.tif 000013
【図１３】
0005386598.tif 000014
【図１４】
0005386598.tif 000015
【図１５】
0005386598.tif 000016
【図１６】
0005386598.tif 000017
【図１７】
0005386598.tif 000018
【図１８】
0005386598.tif 000019
【図１９】
0005386598.tif 000020
【図２０】
0005386598.tif 000021
【図２１】
0005386598.tif 000022
【図２２】
0005386598.tif 000023
【図２３】
0005386598.tif 000024
【図２４】
0005386598.tif 000025
【図２５】
0005386598.tif 000026
【図２６】
0005386598.tif 000027
【図２７】
0005386598.tif 000028
【図２８】
0005386598.tif 000029
【図２９】
0005386598.tif 000030
【図３０】
0005386598.tif 000031
【図３１】
0005386598.tif 000032
【図３２】
0005386598.tif 000033
【図３３】
0005386598.tif 000034
【図３４】
0005386598.tif 000035
【図３５】
0005386598.tif 000036
【図３６】
0005386598.tif 000037
【図３７】
0005386598.tif 000038
【図３８】
0005386598.tif 000039
【図３９】
0005386598.tif 000040
【図４０】
0005386598.tif 000041
【図４１】
0005386598.tif 000042
【図４２】
0005386598.tif 000043
【図４３】
0005386598.tif 000044
【図４４】
0005386598.tif 000045
【図４５】
0005386598.tif 000046
【図４６】
0005386598.tif 000047